(57)【要約】      （修正有）【課題】表示パネル内の寄生容量を削減することで表示データ書込み時間を短縮し、充放電電流を削減する。【解決手段】表示装置は、一以上の画素を含む複数の画素領域を有する表示パネル１０と、複数の画素領域ごとに設けられ、ＶＣＯＭ電圧を供給する複数のレシーバ電極１１２と、複数の画素領域に対して表示データを書き込むためのデータ書込み信号を送信するデータ書込みライン１０２と、を有する。複数の画素領域のうち一部の画素領域に対する表示データの書込み中に、複数のレシーバ電極１１２のうち一部のレシーバ電極１１２はＶＣＯＭ電圧を供給しない。【選択図】図２Ａ
2019079025.tif 000002
【特許請求の範囲】
【請求項１】
一以上の画素を含む複数の画素領域を有する表示パネルと、
前記複数の画素領域ごとに設けられ、ＶＣＯＭ電圧を供給する複数のレシーバ電極と、
前記複数の画素領域に対して表示データを書き込むためのデータ書込み信号を送信するデータ書込みラインと、を備え、
前記複数の画素領域のうち一部の画素領域に対する前記表示データの書込み中に、前記複数のレシーバ電極のうち一部のレシーバ電極は前記ＶＣＯＭ電圧を供給しない、表示装置。
【請求項２】
前記表示データを書込み中の第一の画素領域に対して設けられた第一のレシーバ電極は前記ＶＣＯＭ電圧を供給する、請求項１に記載の表示装置。
【請求項３】
前記複数の画素領域のそれぞれに対して、前記表示データが順次書き込まれる、請求項２に記載の表示装置。
【請求項４】
前記表示データは、ゲート走査方向の順に書き込まれる、請求項３に記載の表示装置。
【請求項５】
前記第一の画素領域に対する前記表示データを書き込んでいる間、所定数のレシーバ電極が前記ＶＣＯＭ電圧を供給する請求項３又は４に記載の表示装置。
【請求項６】
前記第一の画素領域に前記表示データが書き込まれる前に、前記表示データが書き込まれた画素領域に設けられた第二のレシーバ電極は、前記第一の画素領域に対する前記表示データの書込みが終了するまで、前記ＶＣＯＭ電圧を供給する、請求項３又は４に記載の表示装置。
【請求項７】
前記表示装置は、さらに前記複数のレシーバ電極のそれぞれに設けられ、前記複数のレシーバ電極の前記ＶＣＯＭ電圧の供給のＯＮとＯＦＦとを切り替える複数のスイッチを備え、
前記複数のスイッチのうち前記一部のレシーバ電極に設けられたスイッチは前記ＶＣＯＭ電圧の供給をＯＦＦにする、請求項１乃至６のいずれか一項に記載の表示装置。
【請求項８】
前記表示装置は、前記複数のレシーバ電極のそれぞれに設けられ、前記複数のレシーバ電極の前記ＶＣＯＭ電圧の供給のＯＮとＯＦＦとを切り替える複数のスイッチを備え、
前記複数のスイッチのうち、前記第一のレシーバ電極に設けられたスイッチは前記ＶＣＯＭ電圧の供給をＯＮにする、請求項２乃至６のいずれか一項に記載の表示装置。
【請求項９】
前記複数の画素領域のうち一以上の画素領域によりタイルが形成され、
前記タイルが複数あるとき、前記複数のタイルのそれぞれに対して、前記表示データが順次書き込まれる、請求項２に記載の表示装置。
【請求項１０】
前記表示装置は、前記複数のタイルのそれぞれに対して前記ＶＣＯＭ電圧を供給する前記レシーバ電極ごとに設けられ、前記複数のレシーバ電極の前記ＶＣＯＭ電圧の供給のＯＮとＯＦＦとを切り替える複数のスイッチを備え、
前記複数のスイッチのうち、前記表示データを書込み中の第一のタイルに前記ＶＣＯＭ電圧を供給する前記レシーバ電極に設けられたスイッチは前記ＶＣＯＭ電圧の供給をＯＮにする、請求項９に記載の表示装置。
【請求項１１】
前記複数のスイッチのうち、ゲート走査方向において、前記第一のタイルに前後するタイルに前記ＶＣＯＭ電圧を供給する前記レシーバ電極に設けられたスイッチは、前記ＶＣＯＭ電圧の供給をＯＮにする、請求項１０に記載の表示装置。
【請求項１２】
前記表示装置は、Ｉｎｔｅｇｒａｔｅｄ  Ｃｉｒｃｕｉｔ（ＩＣ）を備え、
前記ＩＣは、前記複数のレシーバ電極を備える、請求項１乃至１１のいずれか一項に記載の表示装置。
【請求項１３】
前記表示パネルは、前記複数のレシーバ電極を備える、請求項１乃至１１のいずれか一項に記載の表示装置。
【請求項１４】
前記一部のレシーバ電極は、ハイインピーダンスである、請求項１乃至１３のいずれか一項に記載の表示装置。
【請求項１５】
前記一部のレシーバ電極は、グランド接続される、請求項１乃至１３のいずれか一項に記載の表示装置。
【請求項１６】
表示装置が備える表示パネルが有する複数の画素領域に対して供給される電圧の制御方法であって、
前記表示パネルが備える表示データ書込みラインが前記複数の画素領域のうち一部の画素領域に対して表示データを書き込むためのデータ書込み信号を送信し、
前記一部の画素領域に対して前記表示データが書き込まれている間、前記表示装置が備える複数のレシーバ電極のうち一部のレシーバ電極がＶＣＯＭ電圧を供給しない、電圧制御方法。
【請求項１７】
前記表示データを書込み中の第一の画素領域に対して設けられた第一のレシーバ電極から前記第一の画素領域に前記ＶＣＯＭ電圧を供給する、請求項１６に記載の電圧制御方法。
【請求項１８】
前記複数の画素領域のそれぞれに対して、前記表示データを順次書き込む、請求項１７に記載の電圧制御方法。
【請求項１９】
前記表示装置が備える複数のスイッチのうち前記一部のレシーバ電極に設けられたスイッチは前記ＶＣＯＭ電圧の供給をＯＦＦにする、請求項１６乃至１８のいずれか一項に記載の電圧制御方法。
【請求項２０】
前記表示装置が備える複数のスイッチのうち、前記第一のレシーバ電極に設けられたスイッチは前記ＶＣＯＭ電圧の供給をＯＮにする、請求項１６乃至１８のいずれか一項に記載の電圧制御方法。
【請求項２１】
表示パネルが有する一以上の画素を含む複数の画素領域ごとに設けられ、ＶＣＯＭ電圧を供給する複数のレシーバ電極を備え、
前記複数の画素領域に対して表示データを書き込むためのデータ書込み信号が前記複数の画素領域のうち一部の画素領域に送信され、前記一部の画素領域に対して前記表示データを書込み中、前記複数のレシーバ電極のうち一部のレシーバ電極は前記ＶＣＯＭ電圧を供給しない、表示ドライバ。
【請求項２２】
前記表示データを書込み中の第一の画素領域に対して設けられた第一のレシーバ電極は前記ＶＣＯＭ電圧を供給する、請求項２１に記載の表示ドライバ。
【発明の詳細な説明】
【技術分野】
【０００１】
本発明は、表示装置、表示パネルにおける電圧制御方法及び表示ドライバに関する。
【背景技術】
【０００２】
ユーザに提供する情報をパネルに表示する表示機能、及びユーザの指やスタイラスなどのオブジェクトによるタッチ等入力を検出するセンシング機能を有する表示装置では、パネルに配設された複数のＶＣＯＭ電極又は共通電極が、センシング用のレシーバ電極として用いられることがある。
【０００３】
この複数のレシーバ電極のそれぞれにはレシーバスイッチが接続され、パネルに表示データを表示している間、すべてのレシーバスイッチがＯＮにされ、すべてのレシーバ電極からＶＣＯＭ電圧（又は共通電圧）がパネルに供給され得る。この場合、表示装置における消費電流の増加を招くことがある。
【概要】
【０００４】
一実施形態における表示装置は、一以上の画素を含む複数の画素領域を有する表示パネルと、前記複数の画素領域ごとに設けられ、ＶＣＯＭ電圧を供給する複数のレシーバ電極と、前記複数の画素領域に対して表示データを書き込むためのデータ書込み信号を送信するデータ書込みラインと、を有する。前記複数の画素領域のうち一部の画素領域に対する前記表示データの書込み中に、前記複数のレシーバ電極のうち一部のレシーバ電極は前記ＶＣＯＭ電圧を供給しない。
【図面の簡単な説明】
【０００５】
【図１】表示装置の一例を示した図である。
【図２Ａ】一実施形態における表示装置のＩＣ及びパネルの構成の一例を示した図である。
【図２Ｂ】一実施形態における表示装置のＩＣ及びパネルの構成の一例を示した図である。
【図３Ａ】一実施形態におけるパネルの一画素の構成の一例を示した図である。
【図３Ｂ】一の実施形態におけるパネルのタイルの構成の一例を示した図である。
【図４Ａ】一の実施形態における表示装置のＩＣ及びパネルの構成の別の一例を示した図である。
【図４Ｂ】一の実施形態における表示装置のＩＣ及びパネルの構成の別の一例を示した図である。
【図５Ａ】一の実施形態におけるゲート走査が実行されているときのＶＣＯＭ電圧制御の一例を示した図である。
【図５Ｂ】一の実施形態におけるゲート走査が実行されているときのＶＣＯＭ電圧制御の一例を示した図である。
【図５Ｃ】一の実施形態におけるゲート走査が実行されているときのＶＣＯＭ電圧制御の一例を示した図である。
【図６Ａ】一の実施形態におけるゲート走査が実行されているときのＶＣＯＭ電圧制御の一例を示す模式図である。
【図６Ｂ】一の実施形態におけるゲート走査が実行されているときのＶＣＯＭ電圧制御の一例を示す模式図である。
【図７】一の実施形態におけるゲート走査が実行されているときのＶＣＯＭ電圧供給の切替タイミングの一例を示す図である。
【図８Ａ】一の実施形態におけるゲート走査が実行されているときのデータ書込みスイッチによるＶＣＯＭ電圧供給の切替タイミングの一例を示す図である。
【図８Ｂ】一の実施形態におけるゲート走査が実行されているときのレシーバスイッチによるＶＣＯＭ電圧供給の切替タイミングの一例を示す図である。
【図９Ａ】一の実施形態におけるゲート走査が実行されているときのデータ書込みスイッチによるＶＣＯＭ電圧供給の切替タイミングの一例を示す図である。
【図９Ｂ】一の実施形態におけるゲート走査が実行されているときのレシーバスイッチによるＶＣＯＭ電圧供給の切替タイミングの一例を示す図である。
【図１０】一の実施形態における表示装置のＩＣ及びパネルの構成の一例を示した図である。
【詳細な説明】
【０００６】
以下、添付図面を参照しながら、ここに開示される技術の実施形態を詳細に説明する。各種図面に示される同様な要素には同様な符号を付す。以下の詳細説明は、例示に過ぎず、開示技術及び開示技術の使用を限定する意図を持たない。上述の技術分野、背景技術、概要、又は以下の詳細説明にて提示される明示の又は非明示の思想により画定する意図もない。以下の詳細説明では、開示技術のより十分な理解をもたらすために数々の特定の詳細を提示するが、これら詳細がなくとも当業者により開示技術が実施され得ることは明らかである。また、以下において、説明を不要に複雑にすることを避けるため、周知の特徴を詳細には説明していない。
【０００７】
図１に例示する表示装置１は、パネル１０を備え、ユーザに提供する情報をパネル１０に表示する表示機能を有する。この表示装置１は、パネルを備える電子機器の一例である。電子機器は、例えば、携帯電子機器、スマートフォン、ラップトップコンピュータ、ネットブックコンピュータ、タブレット、ウェブブラウザ、電子ブックリーダー、パーソナルデジタルアシスタント（ＰＤＡ）である。また、電子機器は、表示パネルを備えるデスクトップコンピュータや表示パネルが用いられる自動車等のあらゆるサイズ及び形状の機器であってもよい。いずれも、パネルが用いられる技術分野に限定されない。
【０００８】
表示装置１は、パネル１０を介して、ユーザが操作する一以上のオブジェクト９（例えば指やスタイラス）による入力を感知するセンシング機能を有してもよい。
【０００９】
一実施形態では、パネル１０は、表示機能及びセンシング機能の両方の機能を備えるインセルタッチパネルであってもよい。一実施形態では、インセルタッチパネルは、ディスプレイドライバＩＣ及びタッチパネルコントローラＩＣを１チップにしたＴｏｕｃｈ  ａｎｄ  Ｄｉｓｐｌａｙ  Ｄｒｉｖｅｒ  Ｉｎｔｅｇｒａｔｉｏｎ（ＴＤＤＩ）の技術が適用される。パネル１０は、例えば、ハイブリッドインセルタッチ又はオンセルタッチを採用することもできる。パネル１０は、例えば、発光ダイオード（ＬＥＤ）、有機ＬＥＤ（ＯＬＥＤ）、陰極線管（ＣＲＴ）、液晶ディスプレイ（ＬＣＤ）、プラズマ、エレクトロルミネッセンス（ＥＬ）であり、又はその他のディスプレイ技術を用いてもよい。
【００１０】
図２Ａ及び２Ｂに示す一実施形態において、表示装置１は、パネル１０及びＩｎｔｅｇｒａｔｅｄ  Ｃｉｒｃｕｉｔ（ＩＣ）１１を有する。パネル１０は、ゲート信号ジェネレータ１０１、ゲートライン１０２、ゲートスイッチ１０３、寄生容量１０４、画素容量１０５、ソースライン１０６及びＶＣＯＭライン１０７を有する。
【００１１】
ゲート信号ジェネレータ１０１は、パネル１０の画素に表示データを書き込むための表示データ書込み用ゲートシグナルを生成する。ゲート信号ジェネレータ１０１は、複数のゲートライン１０２に接続される。ゲートライン１０２は、データ書込みラインの一例である。ゲート信号ジェネレータ１０１は、走査駆動され、ゲートライン１０２を介して、生成されたゲート信号をパネル１０の所定の画素領域に送信する。画素領域は、タイルと称されてもよい。ゲート信号は、画素領域内を走査して送信される。ゲートスイッチ１０３は、データの書込みを切り替えるデータ書込みスイッチとして機能する。ゲートスイッチ１０３は、ゲートライン１０２に接続され、ゲート信号のＯＮとＯＦＦとを切り替える。ゲートスイッチ１０３がＯＮの場合、ゲート信号が画素領域に送信され、表示データが書き込まれる。一方、ゲートスイッチ１０３がＯＦＦの場合、ゲート信号が画素領域に送信されず、表示データは書き込まれない。ゲートスイッチ１０３がＯＮとＯＦＦとを切り替えることにより、順次、異なる画素領域に対して表示データが書き込まれる。
【００１２】
寄生容量１０４は、レシーバ電極１１２とソースライン１０６との間に発生する寄生容量である。寄生容量１０４及び画素容量１０５は、図３Ａにおける画素１００１に含まれる。レシーバ電極は、ＲＸ電極と称されてもよい。
【００１３】
図３Ａに示すように、パネル１０における各画素１００１は、ゲートライン１０２、ソースライン１０６、寄生容量１０４、画素容量１０５及びＴｈｉｎ  Ｆｉｌｍ  Ｔｒａｎｓｉｓｔｏｒ（ＴＦＴ）１０８により形成される。順次ゲートライン１０２を介してゲート信号が送信されることにより、走査信号単位でＴＦＴ１０８がオン状態にされる。ソースライン１０６を介してソース信号が送信され、表示データに応じた信号電圧がＴＦＴ１０８と画素容量１０５とに印加されることで、液晶素子の透過状態が制御される。これにより、所定の階調でパネル１０に表示データに基づく画像が表示される。
【００１４】
図３Ｂに示すように、複数の画素１００１は、タイル１００２を形成する。タイル１００２を形成する画素数は図３Ｂの例示に限らず、任意の画素数であってもよい。ゲート走査により、ゲート信号は、一つのタイル１００２において、順次各ゲートライン１０２に送信される。ゲート信号における表示データに応じた信号電圧を受信した画素に対して、表示データが書き込まれる。それから、次に走査されるタイル１００２においてゲート信号が順次各ゲートライン１０２に送信され、ゲートライン１０２毎にゲート信号における信号電圧に基づき表示データが画素に書き込まれる。ゲート走査において同様の手順が繰り返される。
【００１５】
一実施形態において、画素領域は、一以上の画素１００１を含む領域である。例えば、画素領域は、レシーバ電極１１２毎に対応づけられ、各レシーバ電極１１２のＶＣＯＭ信号の送信先である一以上の画素から形成される領域である。画素領域は一以上の画素から形成されることから、タイル１００２は、一以上の画素領域から形成される。
【００１６】
図２Ａ及び２Ｂに戻り、ソースライン１０６は、ソース電極１１１からのソース信号を送信する。
【００１７】
ＶＣＯＭライン１０７は、レシーバ電極１１２からのＶＣＯＭ信号を送信する。
【００１８】
ＩＣ１１は、ソース電極１１１、複数のレシーバ電極１１２及びレシーバスイッチ１１３を有する。ＩＣ１１は、表示ドライバの一例である。
【００１９】
ソース電極１１１は、ソースライン１０６に接続されており、ソースライン１０６にソース信号を送信し、ソース電圧を供給する。なお、ＩＣ１１は複数のソース電極１１１を含んでもよい。
【００２０】
レシーバ電極１１２は、ＶＣＯＭ電極として機能する。ＶＣＯＭ電極は、共通電極と称されてもよい。レシーバ電極１１２は、接続されるＶＣＯＭライン１０７を介して、ＶＣＯＭ信号をタイル１００２に送信し、ＶＣＯＭ電圧を供給する。それぞれのレシーバ電極１１２は、一つのレシーバスイッチ１１３に接続される。レシーバスイッチ１１３は、ＶＣＯＭ信号のＯＮとＯＦＦとを切り替える。レシーバスイッチ１１３がＯＮの場合、ＶＣＯＭ信号がタイル１００２に送信される。一方、レシーバスイッチ１１３がＯＦＦの場合、ゲート信号がタイルに送信されず、表示データは書き込まれない。レシーバスイッチ１１３は、マルチプレクサに含まれてもよい。マルチプレクサは、ＭＵＸとも称される。例えば、ＩＣ１１は、レシーバスイッチ１１３を制御するスイッチ制御回路を備える。
例えば、表示データを画素領域内の各画素に書き込んでいる間、すべてのレシーバスイッチをＯＮとし、すべてのレシーバ電極がＶＣＯＭ電圧を供給する場合、表示データを書込み中でない画素に対してもレシーバ電極がＶＣＯＭ電圧を供給するため、ソースラインとＶＣＯＭラインとの間の寄生容量が増加する。これにより、表示データの書込み時間及び消費電力が増加してしまう。
【００２１】
一方、図２Ａ及び２Ｂに示す実施形態では、複数のレシーバスイッチ１１３のそれぞれを個別に制御することにより、表示データを画素領域に書き込んでいる間であっても、ＶＣＯＭ電圧を供給するレシーバ電極１１２を選択することができる。
【００２２】
図２Ａでは、ゲートスイッチ１０３がＯＮであり、画素領域に対して表示データを書込み中であるとき、複数のレシーバスイッチ１１３の一部をＯＦＦにし、ＯＦＦにされたレシーバスイッチ１１３に設けられたレシーバ電極１１２はＶＣＯＭ電圧を供給しない。例えば、表示データを書込み中ではない画素領域に対して設けられたレシーバ電極１１２がＶＣＯＭ電圧を供給しないように、当該レシーバ電極１１２に接続されたレシーバスイッチ１１３をＯＦＦにする。これにより、表示データを書込み中ではない画素領域に対して設けられたレシーバ電極１１２に接続するＶＣＯＭライン１０７はフローティングになる。すなわち、出力信号状態は、信号が駆動されていないハイインピーダンスＨｉ−Ｚになる。一方、表示データを書込み中の画素領域に対して設けられたレシーバ電極１１２がＶＣＯＭ電圧を供給するように、当該レシーバ電極１１２に接続されたレシーバスイッチ１１３をＯＮにする。
【００２３】
図２Ｂでは、ゲート走査により表示データを書き込む画素領域が、図２Ａにおけるデータ書込み中の画素領域から変更されている。図２Ａとは異なるデータ書込み中でない画素領域に対して、対応するレシーバ電極１１２がＶＣＯＭ電圧を供給しないように、当該レシーバ電極１１２に接続されたレシーバスイッチ１１３をＯＦＦにする。一方、データ書込み中の画素領域に対しては、対応するレシーバ電極１１２がＶＣＯＭ電圧を供給するように、当該レシーバ電極１１２に接続されたレシーバスイッチ１１３をＯＮにする。
【００２４】
図２Ｂの例では、レシーバスイッチ１１３の制御により、レシーバ電極１１２は、表示データを書込み中の画素領域に対して、ＶＣＯＭ信号を送信する。
【００２５】
図４Ａ及び図４Ｂに示す実施形態では、レシーバスイッチ１１３に加えて、レシーバ電極１１２とグランド（ＧＮＤ）との間にスイッチ１１４が設けられる。ゲートスイッチ１０３がＯＮであり、画素領域に対して表示データを書込み中であるとき、複数のレシーバスイッチ１１３の一部をＯＦＦにし、ＯＦＦにされたレシーバスイッチ１１３に対応するスイッチ１１４をＯＮにし、ＧＮＤ接続される。すなわち、ＯＮにされたスイッチ１１４に対応するレシーバ電極１１２の電位はＧＮＤとなり、ＯＦＦにされたレシーバスイッチ１１３に設けられたレシーバ電極１１２はＶＣＯＭ電圧を供給しない。一方、表示データを書込み中の画素領域に対して設けられたレシーバ電極１１２がＶＣＯＭ電圧を供給するように、当該レシーバ電極１１２に接続されたレシーバスイッチ１１３をＯＮにする。
【００２６】
このように、複数のレシーバスイッチ１１３のＯＮ／ＯＦＦを個別に切り替えることで、表示データを書込み中の画素領域にＶＣＯＭ電圧を供給するレシーバ電極１１２以外のレシーバ電極１１２はＶＣＯＭ供給をしない。結果として、パネル１０内の寄生容量が削減され、表示データ書込み時間を短縮し、充放電電流を削減できる。
【００２７】
さらに一実施形態では、ゲート走査の実行時、表示データを書込み中の画素領域に加えて、所定の画素領域に対してもＶＣＯＭ電圧が供給される。例えば、複数のレシーバスイッチ１１３のうち、ゲート走査方向において、表示データを書込み中のタイル１００２に前後するタイル１００２に対してＶＣＯＭ電圧を供給するレシーバ電極１１３に設けられたレシーバスイッチ１１３をＯＮにしてもよい。
【００２８】
図５Ａ、図５Ｂ及び図５Ｃにおいて、ＲＸ０、ＲＸ１、…、ＲＸ６３は、それぞれ異なるレシーバ電極１１２を示す。各画素領域１００３は、それぞれ異なるレシーバ電極１１２（ＲＸ０、ＲＸ１、…、ＲＸ６３）に対応づけられている。各レシーバ電極１１２は、それぞれ対応付けられた画素領域１００３に対して、ＶＣＯＭ電圧を供給する。
【００２９】
ゲート走査方向に、パネル１０における１行目のタイル１００２、２行目のタイル１００２、３行目のタイル１００２、…の順に表示データが書き込まれるタイル１００２は遷移する。
【００３０】
１行目のタイル１００２は、レシーバ電極１１２のＲＸ３１及びＲＸ６３に対応する画素領域１００３を含む。２行目のタイル１００２は、レシーバ電極１１２のＲＸ３０及びＲＸ６２に対応する画素領域１００３を含む。３行目のタイル１００２は、レシーバ電極１１２のＲＸ２９及びＲＸ６１に対応する画素領域１００３を含む。
【００３１】
図５Ａ、図５Ｂ、図５Ｃは、ゲート走査により、それぞれ１行目、２行目、３行目のタイル１００２に表示データが書き込まれている状態を示している。
【００３２】
図５Ａでは、表示データが書き込まれている一行目のタイル１００２及びゲート走査方向において次に表示データが書き込まれる２行目のタイル１００２に対して、レシーバスイッチ１１３がＯＮにされ、レシーバ電極１１２からＶＣＯＭ電圧が供給される。一方、図５Ａにおける残りの画素領域に対しては、レシーバスイッチ１１３の制御によりＶＣＯＭ電圧が供給されず、Ｈｉ−Ｚの状態となる。
【００３３】
図５Ｂの例では、ゲート走査方向において、２行目のタイル１００２の前に書き込まれた１行目のタイル１００２と２行目のタイル１００２の次に書き込まれる３行目のタイル１００２に対して、レシーバスイッチ１１３がＯＮにされ、レシーバ電極１１２からＶＣＯＭ電圧が供給される。一方、図５Ｂにおける残りの画素領域に対しては、レシーバスイッチ１１３の制御によりＶＣＯＭ電圧が供給されず、Ｈｉ−Ｚの状態となる。
【００３４】
図５Ｃの例では、ゲート走査方向において、３行目のタイル１００２の前に書き込まれた２行目のタイル１００２と３行目のタイル１００２の次に書き込まれる４行目のタイル１００２に対して、レシーバスイッチ１１３がＯＮにされ、レシーバ電極１１２からＶＣＯＭ電圧が供給される。一方、図５Ｃにおける残りの画素領域に対しては、レシーバスイッチ１１３の制御によりＶＣＯＭ電圧が供給されず、Ｈｉ−Ｚの状態となる。
【００３５】
このように、表示データの書込み中のタイル（又は画素領域）及びゲート走査方向において表示データの書込み中のタイルに前後するタイルに対するレシーバスイッチ１１３がＯＮにされ、レシーバ電極１１２からＶＣＯＭ電圧が供給される。なお、表示データの書込み中のタイルに前後するタイルの数は任意である。
【００３６】
さらに一実施形態では、例えば、ＶＣＯＭ電圧が供給される画素領域のサイズ（例えば、タイルの行数）や位置がゲート走査の位置又はタイミングによって動的に変更されてもよい。
【００３７】
例えば、図６Ａの上図に示すように、表示データ書込み中の画素領域を含む２から８行のタイルに対して、ＶＣＯＭ電圧が供給される。図６Ａの下図に示すように、ゲート走査の位置又はタイミングが変更されたとき、例えば、表示データ書込み中の画素領域を含む２から８行のタイルに対して、ＶＣＯＭ電圧が供給される。
【００３８】
例えば、図６Ｂの上図に示すように、表示データ書込み中の画素領域を含む半分のタイルに対して、ＶＣＯＭ電圧が供給される。図６Ｂの下図では、ＶＣＯＭ電圧が供給される画素領域の範囲は、図６Ａの上図と同じ、半分のタイルであるが、ＶＣＯＭ電圧が供給される画素領域の位置が二つに分割されている。
【００３９】
図７、図８Ａ、図８Ｂ、図９Ａ及び図９Ｂは、ゲートスイッチ１０３及びレシーバスイッチ１１３の切替え制御のタイミングを示す。
【００４０】
図７では、例えば、時刻Ｔ１において、１行目のタイル１００２に対してゲート信号を送信するゲート１−６０に対応するゲートスイッチ１０３がＯＮとなっており、１行目のタイル１００２に対してデータが書き込まれている。時刻Ｔ１において、１行目のタイル１００２に対応するレシーバスイッチ１１３＃１はＯＮとなり、表示データが書き込まれている１行目のタイル１００２に対するＶＣＯＭ電圧が供給される。時刻Ｔ１において、データ書込み中の１行目のタイル１００２に対して、ゲート走査方向に隣り合う２行目のタイル１００２に対応するレシーバスイッチ１１３＃２もＯＮとなっている。
【００４１】
時刻Ｔ２において、ゲート走査の実行により、２行目のタイルに対してゲート信号を送信するゲート６１−１２０に対応するゲートスイッチ１０３がＯＮとなっており、２行目のタイル１００２に対してデータが書き込まれている。時刻Ｔ２において、２行目のタイル１００２に対応するレシーバスイッチ１１３＃２はＯＮとなり、表示データが書き込まれている２行目のタイル１００２に対するＶＣＯＭ電圧を供給する。時刻Ｔ２において、データ書込み中の２行目のタイル１００２に対して、ゲート走査方向に隣り合う１行目及び３行目のタイル１００２に対応するレシーバスイッチ１１３＃１及び１３＃３もＯＮとなっている。
【００４２】
このように、図７では、ゲート走査の実行時に、時刻Ｔ２以降、表示データを書込み中のタイル１００２を含む３行分のタイル１００２に対して、レシーバ電極１１２からＶＣＯＭ電圧を供給するように、レシーバスイッチ１１３がスイッチのＯＮ及びＯＦＦを制御する。なお、図７において、表示データを書込み中のタイル１００２を含む３行分のタイル１００２のそれぞれがゲート走査方向において隣り合っている例を示したが、一実施形態において、レシーバスイッチ１１３がＯＮとなりＶＣＯＭ電圧が供給される複数のタイル１００２は隣り合っていなくてもよい。
【００４３】
図８Ａ及び図８Ｂはそれぞれ、時刻Ｔ１−Ｔ１２におけるゲート走査の実行時のゲートスイッチ１０３及びレシーバスイッチ１１３のＯＮ／ＯＦＦの状態を示している。図８Ａの時刻Ｔ１−Ｔ１２は、図８Ｂの時刻Ｔ１−Ｔ１２にそれぞれ対応する。図８Ｂに示すように、表示データを書込み中のタイル１００２を含む６行分のタイル１００２に対して、レシーバ電極１１２からＶＣＯＭ電圧を供給するように、レシーバスイッチ１１３がスイッチのＯＮ及びＯＦＦを制御する例を示している。
【００４４】
図９Ａ及び図９Ｂはそれぞれ、時刻Ｔ１−Ｔ１２におけるゲート走査の実行時のゲートスイッチ１０３及びレシーバスイッチ１１３のＯＮ／ＯＦＦの状態を示している。図９Ａの時刻Ｔ１−Ｔ１２は、図９Ｂの時刻Ｔ１−Ｔ１２にそれぞれ対応する。図９Ｂは、ゲート走査の実行時に、表示データを書込み中のタイル１００２を含む４行分のタイル１００２に対して、レシーバ電極１１２からＶＣＯＭ電圧を供給するように、レシーバスイッチ１１３がスイッチのＯＮ及びＯＦＦを制御する例を示している。
【００４５】
なお、レシーバスイッチ１１３のＯＮ／ＯＦＦを切り替える制御のタイミングは、図７、図８Ａ及び図８Ｂに示したタイミングに限らず、任意のタイミングでＯＮ及びＯＦＦを制御してもよい。
【００４６】
このように、所定の画素領域に対する表示データが書き込まれている間、所定数のレシーバ電極１１２がＶＣＯＭ電圧を供給するように、レシーバスイッチ１１３がＶＣＯＭ電圧のＯＮ／ＯＦＦを制御することができる。
【００４７】
図１０に示す一実施形態では、表示装置２のパネル２０がレシーバ電極２１２及びレシーバスイッチ２１３を備える。図１０において、図２Ａに示すパネル１０及びＩＣ１１に含まれる構成要素と同じ構成要素には同一の符号を付す。レシーバ電極２１２及びレシーバスイッチ２１３は、上述した各実施形態及び例におけるレシーバ電極１１２及びレシーバスイッチ１１３と同様の機能を有する。表示装置２には、上述した各実施形態及び例における技術を適用することができる。
【００４８】
この表示装置２によれば、表示データを書込み中の画素領域にＶＣＯＭ電圧を供給するレシーバ電極１１２以外のレシーバ電極１１２はＶＣＯＭ供給をしない。結果として、パネル１０内の寄生容量が削減され、表示データ書込み時間を短縮し、充放電電流を削減できる。
【００４９】
上述した各実施形態は、それぞれ組み合わせることができる。本開示では、限られた数の実施形態に関してのみ記載したが、本開示の利益を有する当業者は、本発明の範囲から逸脱することなく様々な他の実施形態が考案され得ることを理解する。したがって、本発明の範囲は、特許請求の範囲によってのみ限定されるべきである。
【符号の説明】
【００５０】
１、２          表示装置
１０、２０      パネル
１０１          ゲート信号ジェネレータ
１０２          ゲートライン
１０３          ゲートスイッチ
１０４          寄生容量
１０５          画素容量
１０６          ソースライン
１０７          ＶＣＯＭライン
１０８          ＴＦＴ
１００１        画素
１００２        タイル
１００３        画素領域
１１            ＩＣ
１１１          ソース電極
１１２、２１２  レシーバ電極
１１３、２１３  レシーバスイッチ
１１４          スイッチ
【図１】
2019079025.tif 000003
【図２Ａ】
2019079025.tif 000004
【図２Ｂ】
2019079025.tif 000005
【図３Ａ】
2019079025.tif 000006
【図３Ｂ】
2019079025.tif 000007
【図４Ａ】
2019079025.tif 000008
【図４Ｂ】
2019079025.tif 000009
【図５Ａ】
2019079025.tif 000010
【図５Ｂ】
2019079025.tif 000011
【図５Ｃ】
2019079025.tif 000012
【図６Ａ】
2019079025.tif 000013
【図６Ｂ】
2019079025.tif 000014
【図７】
2019079025.tif 000015
【図８Ａ】
2019079025.tif 000016
【図８Ｂ】
2019079025.tif 000017
【図９Ａ】
2019079025.tif 000018
【図９Ｂ】
2019079025.tif 000019
【図１０】
2019079025.tif 000020